(57)【要約】【課題】  親機と複数の子機とを含む通信制御システム及び通信制御方法に関し、親機と子機との間に設定した論理リンクの管理、監視を容易にする。【解決手段】  親機と複数の子機とを含み、親機の子機送信タイミング制御部９によるタイミング制御により、子機の送信を制御し、且つ親機と子機との間の論理リンクを管理、監視する通信制御システム及び通信制御方法であって、親機は、子機に送信するパケットに付加するタイムスタンプを生成するタイムスタンプ生成部５と、論理リンクの接続制御及び伝送遅延測定の機能を有する論理リンク接続制御部４と、子機識別情報データベースを有する子機識別情報管理部１０とを含み、子機識別情報データベースは、子機を特定できる伝送遅延時間の値等の子機識別情報と、その子機との間に割当てた論理リンク識別子とを対応させて格納する構成を有する。【選択図】      図１
2005269488.tif 000002
【特許請求の範囲】
【請求項１】
親機と複数の子機とを含み、前記親機からのタイミング制御により前記子機の送信を制御し、且つ前記親機と前記子機との間の論理リンクを管理、監視する通信制御システムに於いて、
前記親機は、前記子機に送信するパケットに付加するタイムスタンプを生成するタイムスタンプ生成部と、論理リンクの接続制御及び伝送遅延測定の機能を有する論理リンク接続制御部と、子機識別情報データベースを有する子機識別情報管理部とを含み、前記子機識別情報データベースは、前記子機を特定できる子機識別情報と、該子機との間に割当てた論理リンク識別子とを対応させて格納する構成を有する
ことを特徴とする通信制御システム。
【請求項２】
前記子機識別情報データベースは、前記子機対応の伝送遅延時間の値と、該子機のＭＡＣアドレスと、該子機の上位レイヤ識別子との少なくとも一つを前記子機識別情報として論理リンク識別子を格納する構成を有することを特徴とする請求項１記載の通信制御システム。
【請求項３】
親機と複数の子機とを含み、前記親機からのタイミング制御により前記子機の送信を制御し、且つ前記親機と前記子機との間の論理リンクを管理、監視する通信制御方法に於いて、
前記子機からの論理リンク接続要求に従って前記親機の間で送受信したパケットを基に前記子機を特定できる子機識別情報を求め、該子機識別情報と、前記論理リンク接続要求に従って割当てた論理リンク識別子とを対応させて、子機識別情報データベースに格納する過程を含む
ことを特徴とする通信制御方法。
【請求項４】
前記親機と前記子機との間で送受信するパケットにそれぞれタイムスタンプを付加し、前記親機は、タイムスタンプを基に前記子機との間の伝送遅延時間を求め、該伝送遅延時間の値を前記子機を特定する子機識別情報として、前記論理リンク識別子と対応させて前記子機識別情報データベースを構築する過程を含むことを特徴とする請求項３記載の通信制御方法。
【請求項５】
前記子機との間の伝送遅延時間の値と、該子機のＭＡＣアドレスと、該子機の上位レイヤ識別子との少なくとも一つを前記子機識別情報として、前記論理リンク識別子と対応させて前記子機識別情報データベースを構築する過程を含むことを特徴とする請求項３記載の通信制御方法。
【請求項６】
前記子機と前記親機との間でサービス要求に対するサービス識別子を前記子機識別情報の一つとして、前記子機識別情報データベースを構築し、前記子機識別情報を基に、再割当てされた論理リンク識別子を前記子機識別情報データベースに格納する過程を含むことを特徴とする請求項３記載の通信制御方法。
【発明の詳細な説明】
【技術分野】
【０００１】
本発明は、親機と複数の子機との間で通信する構成を含む通信制御システム及び通信制御方法に関する。
【背景技術】
【０００２】
上位装置等とネットワークを介して接続された親機に、複数の子機を接続して、親機からのタイミング制御により各子機が親機に送信する例えばＥＰＯＮ（Ｅｔｈｅｒｎｅｔ  Ｐａｓｓｉｖｅ  Ｏｐｔｉｃａｌ  Ｎｅｔｗｏｒｋ）システムが知られている。このシステムは、親機から１本の光ファイバを子機対応に分岐した光ファイバにより送受信するものであり、各子機からの送信信号が親機に於いて衝突しないように、各子機の送信タイミングが制御される。
【０００３】
例えば、図８に示すように、親機１０１と複数の子機１０２−１〜１０２−ｎ（ｎ＝整数）とがカプラ１０３を介して接続され、このカプラ１０３により、親機１０１からの光ファイバが、子機１０２−１〜１０２−ｎ対応に分岐される。そして、親機１０１と各子機１０２−１〜１０２−ｎとは物理リンク（レイヤ１）により接続された構成となり、１個の物理リンクに単一又は複数の論理リンク（レイヤ２）が存在するシステムを構成し、各子機１０２−１〜１０２−ｎに対してそれぞれのサービスを提供することができる。この場合、親機１０１は、子機を指定して送信許可を与えるか、親機１０１からのタイミング情報に従って、各子機に割当てられたタイミングに、各子機の送信権を獲得して、送信するシステムが知られている。
【０００４】
又親機１０１は、子機１０２−１〜１０２−ｎとの間の各リンクに識別子を付与して、リンクの管理、監視等を行うものである。又レイヤ毎に機能を独立させて簡潔化を図る為に、各レイヤの識別子は、各レイヤに於いて生成することになり、従って、論理リンクレイヤの識別子は、論理リンクの確立時に自動的に割当てる構成となっているのが一般的である。又上位レイヤから下位レイヤを、その下位レイヤの識別子によって識別することができる。
【０００５】
図９は、従来例の説明図であり、図８に於ける親機１０１の機能を示すものであって、１１１は制御部、１１２はＭＡＣテーブル、１１３は子機制御信号処理部、１１４は論理リンク接続制御部、１１５はタイムスタンプ生成部、１１６はＭＡＣ処理部、１１７は調停部、１１８は論理リンク識別子フィルタ／挿入制御部、１１９は子機送信タイミング制御部を示す。
【０００６】
制御部１１１は、各部を制御するものであり、又複数の子機（図９に於いては図示を省略）は、子機送信タイミング制御部１１９を介して接続されている。又論理リンク接続制御部１１４は、ＭＡＣ制御、遅延測定、帯域割当等の機能と論理リンクの接続の制御等を行い、タイムスタンプ生成部１１５からのタイムスタンプを付加したパケットを子機に送信し、その子機からのパケットに付加されたタイムスタンプとを用いて、伝送遅延時間の測定等を行い、又論理リンクの識別子の割当てを制御部１１１との間の制御により行うことができる。
【０００７】
又子機制御信号処理部１１３は、制御部１１１からの指示に従って子機に対する制御信号を作成し、調停部１１７に転送して、子機に対するデータの送受信の衝突が生じないように調停し、調停結果の制御信号を論理リンク識別子フィルタ／挿入制御部１１８を介して論理リンク接続制御部１１４に転送し、子機送信タイミング制御部１１９を介して子機に送信する。又論理リンク識別子フィルタ／挿入制御部１１８は、論理リンクの識別子の挿入、削除（フィルタリング）を行うものである。又図示を省略した上位装置等に対して、ＭＡＣ制御部１１６は、ＭＡＣテーブル１１２を参照して、ＭＡＣアドレスを付加したデータの送受信処理を行う。
【０００８】
前述のような親機と複数の子機とを含むシステムの監視を行う場合、レイヤ毎に行うものであり、例えば、論理リンクの識別子対応に正常か異常か等を管理し、或る論理リンクの異常を検出すると、その論理リンクの識別子を付加した警報信号を生成して表示することになる。又各種のサービス種別を子機に対して提供できるもので、このサービスと論理リンクとを関連付ける場合も、サービス識別子と論理リンク識別子とを対応付けたデータベースを設けることができる。
【０００９】
又子機の電源を故意に遮断した場合、子機の異常発生として処理しないように監視処理することが望ましい場合が多い。異常発生の監視は、予期しない障害発生等を監視する目的が一般的であり、従って、子機の電源を故意に遮断した場合は、親機に対して電源断通知を行うことにより、その子機に対する論理リンクの異常発生をフィルタリングして、異常表示を行わないようにすることができる。その場合、論理リンクの異常を親機で検出し、子機からの電源断通知を受信していない時は、異常表示を行うことになる。又システムの立ち上げ時には、子機が接続されていない可能性が大きいから、デフォルトで論理リンクの異常をフィルタリングすることができる。
【００１０】
又親機と複数の子機との間を接続した前述のようなシステム構成と類似し、ネットワーク管理装置と複数の通信装置との間のポイント・マルチポイントのコネクションを確立する手段が知られている（例えば、特許文献１参照）。
【特許文献１】特開平１１−２０２５７９号公報
【発明の開示】
【発明が解決しようとする課題】
【００１１】
親機と複数の子機とを接続したシステムに於いて、子機に提供する或るサービスを監視する場合、そのサービスの下位レイヤの状態もサービスの状態に影響することになる。従って、下位レイヤの状態をサービス単位で監視することが望ましい。しかし、前述の従来例に於いては、レイヤ毎の監視となるから、レイヤ間の関連付けを行う必要が生じる。そこで、その関連付けを行うデータベースを新たに設けるか、又は、リンク確立時に関連付けの結果を設定することになる。この場合の作業は、非常に煩雑であり、長時間を要すると共に、人為的な誤りが混入される問題がある。
【００１２】
又論理リンク識別子が論理リンク確立毎に動的に割当てられる場合、例えば、論理リンクの異常発生により、再度論理リンク確立を行った時に、前回と異なる論理リンク識別子が割当てられることが多くなる。例えば、子機Ａに対する論理リンクの識別子をａとして割当てたとすると、論理リンクの異常発生により、識別子ａの異常としてシステムの監視又は管理を行う個所へ通知される。それにより子機Ａに対する論理リンクの異常発生として認識することができる。その後、異常状態が回復して、再度論理リンクを確立した時、その論理リンクの識別子をｂとして割当てると、論理リンク識別子ｂの論理リンクは確立されているが、論理リンク識別子ａの論理リンクは異常状態が残存したままとなる問題がある。
【００１３】
本発明は、前述の問題点を解決するもので、論理リンク識別子が再割当てされた場合でも、比較的簡単な構成及び方法で管理可能とすることを目的とする。
【課題を解決するための手段】
【００１４】
本発明の通信制御システムは、親機と複数の子機とを含み、前記親機からのタイミング制御により前記子機の送信を制御し、且つ前記親機と前記子機との間の論理リンクを管理、監視する通信制御システムに於いて、前記親機は、前記子機に送信するパケットに付加するタイムスタンプを生成するタイムスタンプ生成部と、論理リンクの接続制御及び伝送遅延測定の機能を有する論理リンク接続制御部と、子機識別情報データベースを有する子機識別情報管理部とを含み、前記子機識別情報データベースは、前記子機を特定できる子機識別情報と、該子機との間に割当てた論理リンク識別子とを対応させて格納する構成を有するものである。
【００１５】
又前記子機識別情報データベースは、前記子機対応の伝送遅延時間の値と、該子機のＭＡＣアドレスと、該子機の上位レイヤ識別子との少なくとも一つを前記子機識別情報として論理リンク識別子を格納する構成を有するものである。
【００１６】
又本発明の通信制御方法は、親機と複数の子機とを含み、前記親機からのタイミング制御により前記子機の送信を制御し、且つ前記親機と前記子機との間の論理リンクを管理、監視する通信制御方法に於いて、前記子機からの論理リンク接続要求に従って前記親機の間で送受信したパケットを基に前記子機を特定できる子機識別情報を求め、該子機識別情報と、前記論理リンク接続要求に従って割当てた論理リンク識別子とを対応させて、子機識別情報データベースに格納する過程を含むものである。
【００１７】
又前記親機と前記子機との間で送受信するパケットにそれぞれタイムスタンプを付加し、前記親機は、タイムスタンプを基に前記子機との間の伝送遅延時間を求め、該伝送遅延時間の値を前記子機を特定する子機識別情報として、前記論理リンク識別子と対応させて前記子機識別情報データベースを構築する過程を含むものである。
【００１８】
又前記子機との間の伝送遅延時間の値と、該子機のＭＡＣアドレスと、該子機の上位レイヤ識別子との少なくとも一つを前記子機識別情報として、前記論理リンク識別子と対応させて前記子機識別情報データベースを構築する過程を含むものである。
【００１９】
又前記子機と前記親機との間でサービス要求に対するサービス識別子を前記子機識別情報の一つとして、前記子機識別情報データベースを構築し、前記子機識別情報を基に、再割当てされた論理リンク識別子を前記子機識別情報データベースに格納する過程を含むものである。
【発明の効果】
【００２０】
複数の各子機を特定できる伝送遅延時間の値等の子機識別情報に対して、論理リンク識別子を対応させて構築した子機識別情報データベースを用いることにより、再度論理リンクの確立を行った時の再割当てによる論理リンク識別子を、子機識別情報を用いて再設定することが可能となる。又サービス種別等を示すサービス識別子と論理リンク識別子とを含む子機識別情報データベースを用いることにより、サービスと論理リンクとを関連付けて管理、監視することが可能となる。
【発明を実施するための最良の形態】
【００２１】
本発明の通信制御システムは、図１を参照すると、親機と複数の子機とを含み、親機の子機送信タイミング制御部９によるタイミング制御により、子機の送信を制御し、且つ親機と子機との間の論理リンクを管理、監視する通信制御システムに於いて、親機は、子機に送信するパケットに付加するタイムスタンプを生成するタイムスタンプ生成部５と、論理リンクの接続制御及び伝送遅延測定の機能を有する論理リンク接続制御部４と、子機識別情報データベースを有する子機識別情報管理部１０とを含み、子機識別情報データベースは、子機を特定できる伝送遅延時間の値等の子機識別情報と、その子機との間に割当てた論理リンク識別子とを対応させて格納する構成を有するものである。
【実施例１】
【００２２】
図１は、本発明の実施例１の説明図であり、１は制御部、２はＭＡＣテーブル、３は子機制御信号処理部、４は論理リンク接続制御部、５はタイムスタンプ生成部、６はＭＡＣ制御部、７は調停部、８は論理リンク識別子フィルタ／挿入制御部、９は子機送信タイミング制御部、１０は子機識別情報管理部を示す。なお、子機送信タイミング制御部９を介して複数の子機が接続されるものであるが、それらの子機及びそれらの間の接続経路は図示を省略している。又斜線を施した信号経路は、データの流れを示し、又白地の信号経路は、制御信号の流れを示す。
【００２３】
制御部１は、各部を制御するものであり、又図示を省略した複数の子機は、子機送信タイミング制御部９を介して接続されて、パケットの送受信が行われる。又論理リンク接続制御部４は、ＭＡＣ制御、遅延測定、帯域割当等の機能と論理リンクの接続の制御等を行い、タイムスタンプ生成部５からのタイムスタンプを付加したパケットを子機に送信し、その子機からのパケットに付加されたタイムスタンプとを用いて、子機対応に伝送遅延時間の測定等を行い、又論理リンクの識別子の割当てを制御部１との間の制御により行うことができる。
【００２４】
又子機制御信号処理部３は、制御部１からの指示に従って子機に対する制御信号を作成し、調停部７に転送して、子機に対するデータの送受信の衝突が生じないように調停し、調停結果の制御信号を論理リンク識別子フィルタ／挿入制御部８を介して論理リンク接続制御部４に転送し、子機送信タイミング制御部９を介して子機に送信する。又論理リンク識別子フィルタ／挿入制御部８は、論理リンクの識別子の挿入、削除（フィルタリング）を行うものである。又図示を省略した上位装置等に対して、ＭＡＣ制御部６は、ＭＡＣテーブル２を参照して、ＭＡＣアドレスを付加したデータの送受信処理を行う。
【００２５】
前述の基本的な親機と子機との間の通信の制御は、従来例の図９に示す機能と同様であるが、本発明の実施例１に於いては、子機識別情報管理部１０を設けたもので、この子機識別情報管理部１０は、子機識別データベースを含む構成を有するものである。この子機識別データベースは、論理リンクレイヤで特定可能な情報を基に構築する。例えば、親機と子機との間の伝送距離がそれぞれ相違することにより、伝送遅延時間が異なるから、論理リンク接続制御部４に於いて伝送遅延時間を測定し、その伝送遅延時間によって子機を特定することができる。なお、同一の伝送遅延時間の複数の子機が存在する場合は、物理レイヤの伝送媒体距離を異なるように調整することにより、それぞれの伝送遅延時間を異ならせることができる。そして、子機の障害が回復した場合等に於いても、その子機を特定する為の伝送遅延時間は、障害発生前と変化していないから、子機識別情報とすることができる。
【００２６】
従って、子機識別情報管理部１０は、図示を省略した子機識別データベースにより、伝送遅延時間等による子機識別情報と、論理リンク接続制御部４からの論理リンク識別子とを対応させて格納した構成とすることができる。そして、前述のように、障害回復等により、その子機に対する論理リンク識別子が変更になった場合でも、その子機を子機識別情報によって特定できるから、新たな論理リンク識別子と対応させて保持するように、子機識別データベースを更新することができる。
【００２７】
図２は、本発明の実施例２の説明図であり、図１と同一符号は同一部分を示し、１１は論理リンク割当管理部を示す。この実施例２は、前述の実施例１と基本的な動作は同一であり、図１に示す構成に付加された論理リンク割当管理部１１は、動的に論理リンクの割当てを行うもので、この論理リンク割当管理部１１により割当管理された論理リンク識別子を、論理リンク識別子フィルタ／挿入制御部８に於いて付加する。又転送するデータに必要でない場合の論理リンク識別子を削除（フィルタリング）する。又子機識別情報管理部１０の図示を省略した子機識別データベースに、子機識別情報と、論理リンク割当管理部１１に於いて割当てた論理リンクの識別子とを対応して格納する。
【００２８】
又子機送信タイミング制御部９を介して複数の子機との間のパケット送受信を行い、タイムスタンプ生成部５により生成したタイムスタンプを、パケットのタイムスタンプフィールドに付加して子機に送信する。論理リンク接続制御部４は、子機との間の論理リンクの接続を制御し、又子機との間の伝送遅延時間の測定等を行うもので、この伝送遅延時間の値を前述のように、子機識別データベースの子機識別情報とすることができる。
【００２９】
図３は、親機と子機との間のリンク確立のシーケンス説明図であり、親機のＭＡＣアドレスをＡ、子機のＭＡＣアドレスをＢとし、親機と子機とはそれぞれタイムスタンプ生成部を備えており、又図１及び図２に示す親機の子機識別情報管理部１０は、子機識別データベース１０ａを備えている。又パケットは、送信先アドレスＤＡフィールドと、送信元アドレスＳＡフィールドと、タイムスタンプＴｉｍｅｓｔａｍｐフィールドと、パディングＰａｄｄｉｎｇフィールドとを含み、例えば、親機のタイムスタンプ生成部５がＴ０のタイミングを示す時に、送信許可を示す送信パケット１１ｐを送信する。この場合、この送信パケット１１ｐのタイムスタンプフィールドに、親機のタイムスタンプ生成部５に於いて生成したＴ０を付加して子機送信タイミング制御部９を介して送信する。
【００３０】
子機は、この送信許可のパケット１１ｐを受信し、タイムスタンプフィールドのＴ０に対して、子機のタイムスタンプ生成部を同期化し、且つ送信許可であることにより、子機は、タイミングＴ１に於いて、送信先アドレスＡ、送信元アドレスＢ、タイムスタンプＴ１、パディングαを含む論理リンク接続要求の送信パケット２１ｐを親機に対して送信する。この送信パケット２１ｐのパディングフィールドのαは、上位レイヤ識別子（ＩＰアドレス、ポート番号等）を示す。なお、この上位レイヤ識別子αを付加しない論理リンク接続要求のパケットを送信するシステムとすることもできる。
【００３１】
この送信パケット２１ｐを親機は、タイムスタンプ生成部５によるタイミングＴ２に於いて受信すると、親機の論理リンク接続制御部４（図１参照）により、往復伝送遅延時間ΔＴｘ＝（Ｔ２−Ｔ０）−（Ｔ１−Ｔ０）を求める。この伝送遅延時間は、子機に於ける処理時間（Ｔ１−Ｔ０）がそれぞれ同一としても、親機と各子機との間の伝送距離が異なるところから、子機対応に異なるものである。従って、伝送遅延時間の値は、前述のように、子機を特定できる子機識別情報とすることができる。又子機のＭＡＣアドレスＢは、論理リンク接続要求のパケットの送信元アドレスＳＡによって識別できるから、このＭＡＣアドレスＢを、伝送遅延時間の値と同様に子機識別情報とすることができる。又パディングフィールドに、上位レイヤ識別子αを付加した場合、この上位レイヤ識別子αを、子機の識別情報とすることもできる。従って、子機識別データベース１０ａに、子機のＭＡＣアドレスＢと、遅延時間ΔＴｘと、上位レイヤ識別子（ＩＤ）αと、子機番号１と共に論理リンク識別子（ＩＤ）を格納する。
【００３２】
この論理リンク識別子は、論理リンク接続制御部４及び論理リンク割当管理部１１の制御処理により、子機に割当てることができるから、前述の子機識別データベース１０ａの論理リンク識別子として、子機対応に格納することができる。そして、親機は、タイムスタンプ生成部５によるＴ３のタイミングで、子機に対して、接続完了の送信パケット１２ｐを送信する。
【００３３】
従って、図１に示す親機の構成に於ける子機識別データベース１０ａは、遅延時間の値と、ＭＡＣアドレスと、子機番号と、論理リンク識別子（ＩＤ）とを含む構成となり、又図２に示す親機の構成に於ける子機識別データベース１０ａは、論理リンク接続要求のパケット２１ｐに、上位レイヤ識別子αを付加することにより、この上位レイヤ識別子（ＩＤ）を含む構成となる。何れの場合も、子機を特定することができるから、再度の論理リンク確立時に於ける論理リンク識別子の変更に対しても、子機識別データベース１０ａを更新して、子機対応の論理リンクを識別可能とすることができる。即ち、子機の伝送遅延時間の値を用いてその子機を特定し、再割当てした論理リンク識別子を、子機対応に設定することができる。又はＭＡＣアドレスを子機識別情報として、論理リンク識別子を設定することができる。又は上位レイヤ識別子を子機識別情報として、論理リンク識別子を設定することができる。従って、前回の論理リンク識別子が、今回新たに割当てられた論理リンク識別子と異なる場合でも、前回の論理リンク識別子は、今回の論理リンク識別子により更新されることになる。更に、子機識別データベース１０ａをマニュアルで編集することにより、管理者が要望する任意のリンク識別子を特定の子機に割当てることが可能となる。
【００３４】
図４は、レイヤ間インタフェースの説明図であり、論理リンクレイヤと、データベース管理レイヤとの間について示すもので、論理リンクレイヤは、伝送遅延時間、ＭＡＣアドレス、パディングフィールドによる上位レイヤ識別子を用いて、データベース管理レイヤにより管理している論理リンク識別子を検索することができる。
【００３５】
図５は、本発明の実施例３の説明図であり、図１及び図２と同一符号は同一部分を示し、１２は上位レイヤ管理部、１３は認証処理部を示す。この実施例３は、子機に提供する各種のサービスと、論理リンク識別子との関連付けを行うものであり、子機が或るサービスに接続する時に、論理リンクレイヤで直接的にサービス識別子を参照できない条件の場合がある。例えば、認証手続が必要な場合がある。その場合、一旦認証が得られた後でなければ、その接続が正しいか否かを判断できないものである。従って、認証手順に従った認証が得られて、サービスが確定したことを確認した後に、再度論理リンク確立を行うことになる。
【００３６】
認証処理部１３は、前述の認証手順を実行する機能を有するもので、論理リンク接続制御部４は、認証手順の為の論理リンク確立の制御を行い、認証処理部１３による認証手順の実行により認証が得られると、この論理リンクを一旦切断し、再度子機に対して送信許可を与え、子機からの論理リンク接続要求に従って論理リンクを確立する。その場合に、最初の論理リンク確立時に、伝送遅延時間等の子機識別情報を取得して、子機識別情報管理部１０の図示を省略した子機識別データベースに、サービス識別子と共に格納する。
【００３７】
最初の論理リンクを認証が得られた後に切断し、再度論理リンクの接続を行う時、その子機を、子機の伝送遅延時間等の子機識別情報を基に検索し、その子機に対するサービス識別子の確認が可能となり、又この子機に対する新たな論理リンク識別子を登録することができる。
【００３８】
図６は、図５の構成の動作を示すシーケンス説明図であり、１０ｂは、図５に於ける子機識別情報管理部１０で管理する子機識別データベースを示す。ＭＡＣアドレスＡの親機から、ＭＡＣアドレスＢの子機に対して、図３に於ける親機から子機に対するＴ０のタイミングの送信許可の送信と、子機から親機に対するＴ１のタイミングの論理リンク接続要求の送信とに対して、Ｔ３のタイミングの接続完了と同様のシーケンスにより、仮論理リンク確立が行われ、子機は、Ｔ４のタイミングで接続完了通知を受信する。このシーケンスにより、前述のように、伝送遅延時間の値等の子機を特定する子機識別情報と、論理リンク識別子とを対応させた子機識別情報データベースが構築される。
【００３９】
そして、子機からのサービス接続要求により、親機の認証処理部１３に於いて子機が接続要求したサービスの接続の可否を判定処理し、結果を子機に通知し、Ｔ５のタイミングに仮論理リンク切断を子機に通知する。この過程で得られた伝送遅延時間ΔＴｘ、子機のＭＡＣアドレスＢ、上位レイヤ識別子α、サービス識別子（ＩＤ）ｕｓｅｒ、子機番号１の少なくとも一つを子機識別情報として、前述のように、子機識別情報管理部１０で管理する子機識別データベース１０ｂに格納する。なお、この場合、サービス接続要求であるから、サービス識別子を子機識別情報データベース１０ｂに登録することにより、その後のサービスと論理リンクレイヤとの関連付けを行うことができる。
【００４０】
次に、親機は、タイミングＴ０〜Ｔ４に於けるパケットの送受信と同様に、Ｔ０’のタイミングに送信許可の送信パケット１４ｐを送信する。これに対して、子機は、そのタイムスタンプ生成部によるＴ０’のタイミングに論理リンク接続要求の送信パケット２２ｐを親機に送信する。この場合の送信パケット２２ｐのパディングフィールドに上位レイヤ識別子αを付加した状態を示す。
【００４１】
親機は、この論理リンク接続要求の送信パケット２２ｐをＴ２’のタイミングで受信し、子機識別データベース１０ｂを、伝送遅延時間ΔＴｘ、ＭＡＣアドレスＢ、上位レイヤ識別子α等により検索して、子機を識別することができるから、子機の要求するサービスに対する論理リンク識別子を割当てることができる。そして、親機は、Ｔ３’のタイミングで接続完了の送信パケット１５ｐを送信する。それにより、子機は、所望のサービスの接続により通信を行うことができる。
【００４２】
この場合、サービスと論理リンクとの関連付けが容易になり、例えば、図７の（Ａ）に示すデータ構成とすることができる。それにより、サービス識別子と論理リンク識別子とを対応させて、サービスの異常の有無や、論理リンクの異常の有無を関連付けて管理することができる。これに対して、従来例に於いては、図７の（Ｂ）に示すサービス識別子（ＩＤ）対応のサービス状態の管理と、図７の（Ｃ）に示す論理リンク識別子（ＩＤ）対応の論理リンク状態の管理とをそれぞれ別個に行っており、サービス識別子（ＩＤ）と論理リンク識別子（ＩＤ）との関連付けを行う為には、図７の（Ｄ）に示すように別個のデータベースとして構築する必要があり、その為の処理は複雑となるものであった。これに対して、本発明によれば、親機内で、図７の（Ａ）に示すように、或るサービスの管理、監視を行う場合に、下位レイヤの状態も同時に管理、監視することができるから、障害発生時の障害個所の切り分けを迅速に行って修復することができる。
【図面の簡単な説明】
【００４３】
【図１】本発明の実施例１の説明図である。
【図２】本発明の実施例２の説明図である。
【図３】リンク確立シーケンス説明図である。
【図４】レイヤ間インタフェースの説明図である。
【図５】本発明の実施例３の説明図である。
【図６】本発明の実施例３のシーケンス説明図である。
【図７】データ構成の説明図である。
【図８】通信制御システムの説明図である。
【図９】従来例の説明図である。
【符号の説明】
【００４４】
１  制御部
２  ＭＡＣテーブル
３  子機制御信号処理部
４  論理リンク接続制御部
５  タイムスタンプ生成部
６  ＭＡＣ処理部
７  調停部
８  論理リンク識別子フィルタ／挿入制御部
９  子機送信タイミング制御部
１０  子機識別情報管理部
１１  論理リンク割当管理部
１２  上位レイヤ管理部
１３  認証処理部
【図１】
2005269488.tif 000003
【図２】
2005269488.tif 000004
【図３】
2005269488.tif 000005
【図４】
2005269488.tif 000006
【図５】
2005269488.tif 000007
【図６】
2005269488.tif 000008
【図７】
2005269488.tif 000009
【図８】
2005269488.tif 000010
【図９】
2005269488.tif 000011